(57)【要約】  【課題】  本発明は、上、下枠および左、右側枠で構成した枠体の屋内側面に構造用面材を固着して形成した気密パネル体を、軸組材で構成する開口部に嵌め込んだときに生じる隙間を通じての通気を確実に防ぐことのできる装置を提供する。  【解決手段】  上、下枠および左、右側枠で構成した枠体３の片面に構造用面材２を固着して形成した気密パネル体Ａを、隣接する一対の柱と、桁や胴差などの横架材で構成する開口部６の屋内側に嵌め込んで、前記構造用面材の表面を前記柱の屋内端面と同面上に配置する。そして、気密パネル体Ａの前記枠体の各枠に対応する塞ぎ杆９を、前記開口部６の屋外側にその内周面に沿って連続的に配して固着する。さらに、該塞ぎ杆９との前記枠体間および前記軸組材間には、気密材１２，１２´を介在させて前記内周面に沿う、第一、第二の気密ライン１２Ａ，１２´Ａを設ける。【選択図】    図１
2009138358.tif 000002
【特許請求の範囲】
【請求項１】
上、下枠および左、右側枠で構成した枠体の片面に構造用面材を固着して形成した気密パネル体を、隣接する一対の柱と、桁や胴差などの横架材で構成する開口部の屋内側又は屋外側に嵌め込んで、前記構造用面材の表面を前記柱の屋内端面又は屋外端面と同面上に配置した、木造建物の壁装置において、気密パネル体の前記枠体の各枠に対応する塞ぎ杆を、前記開口部の屋外側又は屋内側にその内周面に沿って連続的に配して固着し、該塞ぎ杆との前記枠体間および前記軸組材間には、気密材を介在させて前記内周面に沿う、第一、第二の気密ラインを設けた、木造建物の壁装置における気密パネル体と軸組材間の気密装置。
【発明の詳細な説明】
【技術分野】
【０００１】
本発明は、上、下枠および左、右側枠で構成した枠体の屋内側面又は屋外側面に構造用面材を固着して形成した気密パネル体を、軸組材で構成する開口部に嵌め込んだときに生じる隙間を通じての通気を防ぐために用いる木造建物の壁装置における気密パネル体と軸組材間の気密装置に関するものである。
【背景技術】
【０００２】
上、下枠および左、右側枠で構成した枠体の片面に構造用面材を固着して形成した気密パネル体を、隣接する一対の柱と桁や胴差などの横架材と組合わせて形成した開口部に嵌め込んで構成する、木造建物の壁装置は公知であるが、この公知構造のものは、概して、前記気密パネル体に相対するようにして屋外側に面材を配して、該面材と気密パネル体との間に空気層（密閉室）を設け、断熱効果を高めるようにしている（例えば、特許文献１、２）。
【０００３】
【特許文献１】特開２００３−４１６８７号公報
【特許文献２】特開２００２−２５６６３１号公報
【発明の開示】
【発明が解決しようとする課題】
【０００４】
然しながら、断熱効果を期待するための空気層の屋内側は内装材（面材）を重ね合わせてあるだけであるので、前記気密パネルと柱や横架材との間に隙間が生じ、該隙間を通じて屋内と空気層が連通し、該空気層部が屋内と同一環境になって空気層としての本来の機能を果たさないことがある。
【０００５】
本発明は、屋内と前記の空気層間の空気の出入りを遮断し、空気層を密閉室状態に確実におけることのできる装置を提供することを目的として創案したものである。
【課題を解決するための手段】
【０００６】
上、下枠および左、右側枠で構成した枠体の片面に構造用面材を固着して形成した気密パネル体を、隣接する一対の柱と、桁や胴差などの横架材で構成する開口部の屋内側又は屋外側に嵌め込んで、前記構造用面材の表面を前記柱の屋内端面又は屋外端面と同面上に配置した、木造建物の壁装置において、気密パネル体の前記枠体の各枠に対応する塞ぎ杆を、前記開口部の屋外側又は屋内側にその内周面に沿って連続的に配して固着し、該塞ぎ杆との前記枠体間および前記軸組材間には、気密材を介在させて前記内周面に沿う、第一、第二の気密ラインを設けた構成とするのである。
【発明の効果】
【０００７】
本発明によれば、上、下枠および左、右側枠で構成した枠体の屋内側面又は屋外側面に構造用面材を固着して形成した気密パネル体を、軸組材で構成する開口部に嵌め込んだときに生じる隙間を通じての通気を確実に防ぐことができる。従って、気密パネル体の屋外面側又は屋内側面に形成される密閉室を断熱空気層として機能させることができ、断熱効果の優れた、木造建物の壁装置を提供できる。
【実施例】
【０００８】
図面は、本発明に係る、木造建物の壁装置における気密パネル体と軸組材間の気密装置の実施例を示し、第１図は第一実施例の要部の断面図、第２図は第二実施例の要部の断面図、図３は塞ぎ杆の配置状態を示す略示説明図である。
【第一実施例】
【０００９】
図１で示す第一実施例は気密パネル体を、軸組材で構成する開口部の屋内側に嵌め込んで構成した壁装置に対する本発明の適用例を示す。
【００１０】
図中、Ａは気密パネル体で、気密パネル体Ａは、上、下枠（図示省略）、左縦枠３ｃおよび右縦枠（図示省略）で構成した枠体３の片面（屋内側）に、構造用面材２を固着し（実施例では貼り合わせ）、構造用面材２の裏（屋外面）側には、前記枠体３で取り囲むウレタンフォームで成る断熱シート４を重合させて構成し、桁材（図示省略）、土台（図示省略）左管柱５ｂおよび右管柱（図示省略）で成る開口部６に屋内側から嵌め込んで左管柱５ｂの屋内端面５ｂ´等前記軸組材の屋内端面と同面上に配置し、枠体３を構成する左縦枠３ｃ等をそれぞれ対応する左管柱５ｂ等に（例えば、上枠の場合は桁材に、下枠の場合は土台に）釘着したものである。
【００１１】
この気密パネル体Ａ（構造用面材２）の表面（屋内側面）にはプラスターボード（下地材）７とクロスなどの化粧材８を順次積層し、裏面（屋外面）側には、塞ぎ杆９を介して前記構造用面材２やプラスターボード７と相対するようにして透湿防水シート１０を張着して、該透湿防水シート１０と気密パネル体Ａとの間に密閉室１１を設けてある。
【００１２】
密閉室１１の周壁の一部を構成する塞ぎ杆９は木質材で成り、前記軸組材（左管柱５ｂ）側の外側面と屋内側面の各々に弾性気密材１２，１２´を貼着して成るもので、図示の場合は、軸組材側の外側面に設けた前記気密材１２を左管柱５ｂに、屋内側面に設けた前記気密材１２´を枠体３の左縦枠３ｃの屋内端面にそれぞれ圧接するようにして釘着したもので、図示省略してあるが、右管柱側や桁材或いは土台などの軸組材部にも、同様にして、同様の塞ぎ杆を装置し、塞ぎ杆９の全体としては左縦枠３ｃなどが構成する枠体３の屋外側に枠体状にして重合させ、前記の通り、前記密閉室１１の周壁の一部を構成させる一方、各塞ぎ杆９に設けた気密材１２，１２´が密閉室１１を取り囲む第一、第二の気密ライン１２Ａ，１２´Ａを構成する。
【００１３】
透湿防水シート１０の屋外側には、左管柱５ｂ等の軸組材に止着した胴縁１３を配設し、該胴縁１３を利用して外壁１４を装置してある。
【００１４】
なお、塞ぎ杆９は、図３で示すように全体として枠体状に組合わせ、塞ぎ杆９間の気密材１２，１２´の間隙部には気密材片１２ａを充填止着し、連続性の有る前記の気密ライン１２Ａ，１２´Ａが構成される。
【第二実施例】
【００１５】
図２で示す第二実施例は、第一実施例と同構成の気密パネル体Ａを用い、該気密パネル体Ａを、軸組材で構成する開口部の屋外側に嵌め込んで構成した壁装置に用いた本発明の適用例を示す。
【００１６】
気密パネル体Ａは、上、下枠（図示省略）、左縦枠３ｃおよび右縦枠（図示省略）で構成した枠体３の片面（屋外側）に、構造用面材２を固着し（実施例では貼り合わせ）、構造用面材２の裏（屋内面）側には、前記枠体３で取り囲むウレタンフォームで成る断熱シート４を重合させて構成し、桁材（図示省略）、土台（図示省略）左管柱５ｂおよび右管柱（図示省略）で成る開口部６に屋外側から嵌め込んで左管柱５ｂの屋外端面５ｂ´´等前記軸組材の屋内端面と同面上に配置し、枠体３を構成する左縦枠３ｃ等をそれぞれ対応する左管柱５ｂ等に（例えば、上枠の場合は桁材に、下枠の場合は土台に）釘着したものである。
【００１７】
この気密パネル体Ａ（構造用面材２）の裏面（屋内面）側には、塞ぎ杆９を介して前記構造用面材２と相対するようにしてプラスターボード（下地材）７とクロスなどの化粧材８を順次積層して、プラスターボード７と気密パネル体Ａとの間に密閉室１１を設けてある。
【００１８】
密閉室１１の周壁の一部を構成する塞ぎ杆９は木質材で成り、前記軸組材（左管柱５ｂ）側の外側面と屋外側面の各々に弾性気密材１２，１２´´を貼着して成るもので、図示の場合は、軸組材側の外側面に設けた前記気密材１２を左管柱５ｂに、屋外側面に設けた前記気密材１２´´を枠体３の左縦枠３ｃにそれぞれ圧接するようにして釘着したもので、図示省略してあるが、右管柱側や桁材或いは土台などの軸組材部にも、同様にして、同様の塞ぎ杆を装置し、塞ぎ杆９の全体としては左縦枠３ｃなどが構成する枠体３の屋内側に枠体状にして重合させ、前記の通り、前記密閉室１１の周壁の一部を構成させる一方、各塞ぎ杆９に設けた気密材１２，１２´´が密閉室１１を取り囲む第一、第二の気密ライン１２Ａ，１２´´Ａを構成する。
【００１９】
構造用面材２の屋外側には、左管柱５ｂ等の軸組材に止着した胴縁１３を配設し、該胴縁１３を利用して外壁１４を装置してある。
【００２０】
なお、気密材片１２ａを用いて前記気密ライン１２Ａ，１２´´Ａを構成することは第一実施例と同様である。
【図面の簡単な説明】
【００２１】
【図１】第一実施例の要部の断面図。
【図２】第二実施例の要部の断面図。
【図３】塞ぎ杆の配置状態を示す略示説明図。
【符号の説明】
【００２２】
Ａ          気密パネル体
２          構造用面材
３          枠体
６          開口部
９          塞ぎ杆
１２，１２´，１２´´            気密材
１２Ａ，１２´Ａ，１２´´Ａ      気密ライン
【図１】
2009138358.tif 000003
【図２】
2009138358.tif 000004
【図３】
2009138358.tif 000005